(57)【特許請求の範囲】
【請求項１】
コネクタハウジングの後部に、前記コネクタハウジングの端子収容室に挿入された端子に接続されて前記コネクタハウジングの後部から引き出された電線を保護しつつ所定の方向へ案内して導き出す電線カバーが装着された電線カバー付きコネクタにおいて、
前記コネクタハウジングの後部に、前記電線の引出部を包囲するように断面円形又は楕円形のカバー装着部が設けられ、
前記電線カバーは、先に前記コネクタハウジングに仮装着される本体カバーと、後から前記本体カバーと合体されることで前記電線カバーを前記コネクタハウジングに本装着する蓋体カバーと、に二分割され、
前記本体カバーと前記蓋体カバーには、前記本体カバーと前記蓋体カバーを合体した時に筒状をなして前記コネクタハウジングのカバー装着部を挟み込み、それにより前記電線カバーを前記コネクタハウジングに装着する取付部がそれぞれ設けられ、
前記本体カバー側の取付部は、前記取付部の前記カバー装着部に対する装着方向に直交する方向における前記カバー装着部の最大径部を越える位置まで延長され、その延長端に、前記カバー装着部に仮係止することで前記カバー装着部からの前記取付部の脱落を阻止する仮係止部が設けられ、
更に前記本体カバーには、前記カバー装着部に前記仮係止部が仮係止している状態で前記本体カバーに前記カバー装着部の周方向に沿った回転力が作用した際に、前記コネクタハウジングに衝突することで前記本体カバーの回転を阻止する回転規制部が設けられていることを特徴とする電線カバー付きコネクタ。
【請求項２】
前記本体カバーの一端と前記蓋体カバーの一端とがヒンジを介して回動自在に連結され、前記本体カバーの他端と前記蓋体カバーの他端とに、前記本体カバーと前記蓋体カバーの合体時に互いにロックするロック部が設けられていることを特徴とする請求項１に記載の電線カバー付きコネクタ。
【発明の詳細な説明】
【技術分野】
【０００１】
本発明は、電線カバー付きコネクタに関するものである。
【背景技術】
【０００２】
この種の電線カバー付きコネクタは、例えば、コネクタの取付位置によりその後面側に十分な配線スペースが確保できず、そのためにコネクタハウジングの後面の直後で電線を屈曲配線する必要がある場合や、コネクタハウジングの後面側を電線カバーで簡易防水する場合等に利用されており、従来その例として、特許文献１や特許文献２に記載されたものが知られている。
【０００３】
この電線カバー付きコネクタは、電線の端末に固着された端子金具が後面側から挿入されるコネクタハウジングと、このコネクタハウジングの後端部に装着される二つ割りの電線カバーとから構成されており、コネクタハウジングの後部から引き出された電線を、電線カバー内を通して直角に屈曲した方向に導出するようになっている。
【０００４】
ここで、上記従来例における電線カバー付きコネクタでは、各分割カバーにおけるコネクタハウジングへの取付側の端部に、コネクタハウジングの後端部の外周に位置決めされて嵌まる半割りの嵌合筒が設けられる一方、各分割カバーの突き合わせ端縁に互いにロックするロック部が設けられた構成となっている。そして、両分割カバーを合わせてロックして初めて、電線カバー自体がコネクタハウジングの後端部に取り付けられるようになっている。
【先行技術文献】
【特許文献】
【０００５】
【特許文献１】特開２００４−１２７８１３号公報
【特許文献２】特開２００１−１４３８１２号公報
【０００６】
ところで、本出願人は、上記従来の電線カバー付きコネクタと類似のものとして、図１３〜図１９に示すような電線カバー付きコネクタを考えた。
【０００７】
図１３はこの先行発明の電線カバー付きコネクタの分解斜視図、図１４は同電線カバー付きコネクタの組み立て途中の状態を示す図で、コネクタハウジングの後部に電線カバーを装着しようとしている状態を示す平面図、図１５は同コネクタハウジングのカバー装着部に電線カバーの一方の分割体である本体カバーを仮装着した状態を示す平面図、図１６は図１５のＸＶＩ−ＸＶＩ矢視断面図、図１７は図１５および図１６に状態から蓋体カバーを回動させた際に、本体カバーが正規位置から回転してしまう不具合を説明するための図１６と同様の断面図、図１８は前記本体カバーに蓋体カバーを合体させてロックすることにより、電線カバーがコネクタハウジングに本装着された状態を示す図１６と同様の断面図、図１９は電線カバーに電線をテープ巻きしてワイヤーハーネスを構成した状態を示す平面図である。
【０００８】
この先行発明の電線カバー付きコネクタは、図１３に示すように、樹脂成形品よりなるコネクタハウジング１０と、円筒状のパッキン材２１付きの電線Ｗの端末に接続された複数の端子２０と、コネクタハウジング１０の後部に装着される樹脂成形品よりなる電線カバー１３０とから構成されている。
【０００９】
コネクタハウジング１０の後部には電線引出部１１が設けられ、電線引出部１１の後面に複数の端子収容室１２の入口が開口している。そして、各入口から端子収容室１２の内部に、電線Ｗの端末に取り付けた端子２０を挿入できるようになっている。また、そのように端子２０を挿入した際に、予め電線Ｗの外周に装着してあるパッキン材２１が、端子収容室１２の内周壁と電線Ｗとの隙間を封止するようになっている。端子２０をコネクタハウジング１０の各端子収容室１２に挿入すると、端子２０に接続された電線Ｗは、電線引出部１１から後方へ向けて引き出される。そして、これらの電線Ｗを保護しつつ所定の方向へ案内して導き出す目的で、コネクタハウジング１０の後部に電線カバー１３０が装着される。
【００１０】
この電線カバー１３０を装着するために、コネクタハウジング１０の後部には、電線引出部１１を包囲するように、断面楕円形（円形でもよい）のカバー装着部１３が設けられている。このカバー装着部１３の端部には、カバー装着部１３よりも径大の環状凸部１４が設けられている。また、コネクタハウジング１０の上面には、相手コネクタのハウジングと嵌合した際にロックするロックアーム１７と、ロックアーム保護枠１６とが設けられている。
【００１１】
一方、電線カバー１３０は、先にコネクタハウジングの後部に装着される本体カバー１３１と、後から本体カバー１３１と合体されることで、電線カバー１３０をコネクタハウジング１０に本装着する蓋体カバー１３３とに二分割されている。本体カバー１３１と蓋体カバー１３３は、一端同士が図１６に示すように、ヒンジ１３２により回動自在（つまり開閉自在）に連結されている。本体カバー１３１と蓋体カバー１３３には、本体カバー１３１と蓋体カバー１３３を合体した時に筒状をなしてコネクタハウジング１０のカバー装着部１３を挟み込み、それにより電線カバー１３０をコネクタハウジング１０に装着する半筒状の取付部１３１Ａ、１３３Ａがそれぞれ設けられている。また、本体カバー１３１には、コネクタハウジング１０の後部から引き出された電線Ｗを直角方向に曲げて誘導すると共に電線Ｗと共にテープＴ（図１９参照）を巻き付けることのできる電線誘導部１３４が設けられている。
【００１２】
また、本体カバー１３１のヒンジ１３２と反対側の端部にはロック突起１４１が設けられ、蓋体カバー１３３のヒンジ１３２と反対側の端部には、ロック突起１４１の嵌まるロック孔１４４を有したロックアーム１４３が設けられている。本体カバー１３１に蓋体カバー１３３を合わせると、図１８に示すように、ロック突起１４１にロックアーム１４３が係合して、本体カバー１３１と蓋体カバー１３３とが合体状態に保持され、本体カバー１３１の取付部１３１Ａと蓋体カバー１３３の取付部１３３Ａとの間にコネクタハウジング１０のカバー装着部１３が挟まれ、それにより、電線カバー１３０がコネクタハウジング１０に本装着される。
【００１３】
この電線カバー付きコネクタを組み立てる場合は、まず、コネクタハウジング１０の各端子収容室１２に後端入口から、電線Ｗの端末に接続した端子２０を挿入する。全部の端子２０を挿入してコネクタを組み立てたら、コネクタハウジング１０の後部から後方へ引き出された電線Ｗを電線カバー１３０によって誘導しようとする方向へ曲げて癖付けしながら、図１４〜図１７に示すように、本体カバー１３１の取付部１３１Ａをコネクタハウジング１０の後部のカバー装着部１３に仮装着する。
【００１４】
次にその状態で、図１６の矢印Ｙ１で示すように蓋体カバー１３３を回動させて、図１８に示すように蓋体カバー１３３を本体カバー１３１に合体させ、ロック突起１４１とロックアーム１４３をロックさせる。そして、最後に本体カバー１３１に一体に設けた電線誘導部１３４にテープＴを巻き付けることにより、電線Ｗを屈曲させた状態のままテープＴで固定し、こうすることにより電線カバー付きコネクタの組み立てが完了する。
【００１５】
ところで、実際の組み立てに際しては、コネクタハウジング１０に仮装着した本体カバー１３１に蓋体カバー１３３を合体させる時に、コネクタハウジング１０のカバー装着部１３の断面が楕円形になっている関係から、図１７の矢印Ｙ２で示すように、蓋体カバー１３３の回動と共に本体カバー１３１が回転してしまうおそれがある。そのため、本体カバー１３１が回転しないように一方の手で本体カバー１３１を押さえながら、他方の手で蓋体カバー１３３を本体カバー１３１に合わせなくてはならず、両方の手で作業する必要があるために作業性が悪いことが判った。
【発明の概要】
【発明が解決しようとする課題】
【００１６】
本発明は、上述した事情に鑑みてなされたものであり、その目的は、片手で容易に電線カバーをコネクタハウジングに装着することができる組付作業性の良い電線カバー付きコネクタを提供することにある。
【課題を解決するための手段】
【００１７】
本発明の上記目的は、下記の構成により達成される。
（１）  コネクタハウジングの後部に、前記コネクタハウジングの端子収容室に挿入された端子に接続されて前記コネクタハウジングの後部から引き出された電線を保護しつつ所定の方向へ案内して導き出す電線カバーが装着された電線カバー付きコネクタにおいて、
前記コネクタハウジングの後部に、前記電線の引出部を包囲するように断面円形又は楕円形のカバー装着部が設けられ、
前記電線カバーは、先に前記コネクタハウジングに仮装着される本体カバーと、後から前記本体カバーと合体されることで前記電線カバーを前記コネクタハウジングに本装着する蓋体カバーと、に二分割され、
前記本体カバーと前記蓋体カバーには、前記本体カバーと前記蓋体カバーを合体した時に筒状をなして前記コネクタハウジングのカバー装着部を挟み込み、それにより前記電線カバーを前記コネクタハウジングに装着する取付部がそれぞれ設けられ、
前記本体カバー側の取付部は、前記取付部の前記カバー装着部に対する装着方向に直交する方向における前記カバー装着部の最大径部を越える位置まで延長され、その延長端に、前記カバー装着部に仮係止することで前記カバー装着部からの前記取付部の脱落を阻止する仮係止部が設けられ、
更に前記本体カバーには、前記カバー装着部に前記仮係止部が仮係止している状態で前記本体カバーに前記カバー装着部の周方向に沿った回転力が作用した際に、前記コネクタハウジングに衝突することで前記本体カバーの回転を阻止する回転規制部が設けられていることを特徴とする電線カバー付きコネクタ。
【００１８】
（２）  前記本体カバーの一端と前記蓋体カバーの一端とがヒンジを介して回動自在に連結され、前記本体カバーの他端と前記蓋体カバーの他端とに、前記本体カバーと前記蓋体カバーの合体時に互いにロックするロック部が設けられていることを特徴とする請求項１に記載の電線カバー付きコネクタ。
【００１９】
上記（１）の構成の電線カバー付きコネクタによれば、本体カバーの取付部をカバー装着部の最大径部を越える位置まで延長し、その延長端にカバー装着部に対する仮係止部を設けているので、本体カバーをコネクタハウジングに仮装着した状態での本体カバーの脱落を阻止することができる。また、本体カバーには、コネクタハウジングに衝突することで本体カバーの回転を規制する回転規制部を設けているので、蓋体カバーを本体カバーに合体させる際に本体カバーに回転力が作用した場合にも、本体カバーを回転しないように保持しておくことができる。従って、片方の手で本体カバーを回転しないように押さえながら、もう片方の手で蓋体カバーを本体カバーに合体させるというような両手作業をする必要がなく、片手作業で容易に蓋体カバーを本体カバーに合体させることができて、電線カバーをコネクタハウジングに本装着することができる。
【００２０】
上記（２）の構成の電線カバー付きコネクタによれば、ヒンジを支点にして蓋体カバーを先に仮装着してある本体カバーに向けて回動させ、本体カバーと蓋体カバーのロック部を互いにロックさせることによって、本体カバーと蓋体カバーとを合体させることができ、その状態で電線カバーをコネクタハウジングに本装着することができる。
【発明の効果】
【００２１】
本発明によれば、本体カバーをコネクタハウジングに仮装着した状態での本体カバーの脱落を阻止することができるし、また、蓋体カバーを本体カバーに合体させる際に本体カバーに回転力が作用した場合にも、本体カバーを回転しないように保持しておくことができる。従って、片手作業で容易に蓋体カバーを本体カバーに合体させることができて、電線カバーをコネクタハウジングに本装着することができ、作業性の向上を図ることができる。
【００２２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２３】
【図１】本発明の実施形態の電線カバー付きコネクタの分解斜視図である。
【図２】同電線カバー付きコネクタに使用する電線カバーの前側から見た斜視図である。
【図３】図２のＩＩＩ−ＩＩＩ矢視断面図である。
【図４】同電線カバー付きコネクタの組み立て途中の状態を示す図で、コネクタハウジングの後部に電線カバーを装着しようとしている状態を示す平面図である。
【図５】同コネクタハウジングのカバー装着部に電線カバーの一方の分割体である本体カバーを仮装着した状態を示す前側から見た斜視図である。
【図６】図５と同じ状態を側方から見て示す側面図である。
【図７】図５と同じ状態を上方から見て示す平面図である。
【図８】（ａ）は図７のＶＩＩＩａ−ＶＩＩＩａ矢視断面図、（ｂ）は（ａ）のＶＩＩＩｂ部の拡大図である。
【図９】図７のＩＸ−ＩＸ矢視断面図である。
【図１０】（ａ）は前記本体カバーに蓋体カバーを合体させてロックすることにより、電線カバーがコネクタハウジングに本装着された状態を示す図９と同様の断面図、（ｂ）は（ａ）のＸｂ部の拡大図である。
【図１１】電線カバーに電線をテープ巻きしてワイヤーハーネスを構成した状態を示す平面図である。
【図１２】電線カバーに電線をテープ巻きしてワイヤーハーネスを構成した状態を示す斜視図である。
【図１３】先行発明の電線カバー付きコネクタの分解斜視図である。
【図１４】同電線カバー付きコネクタの組み立て途中の状態を示す図で、コネクタハウジングの後部に電線カバーを装着しようとしている状態を示す平面図である。
【図１５】同コネクタハウジングのカバー装着部に電線カバーの一方の分割体である本体カバーを仮装着した状態を示す平面図である。
【図１６】図１５のＸＶＩ−ＸＶＩ矢視断面図である。
【図１７】図１５および図１６に状態から蓋体カバーを回動させた際に、本体カバーが正規位置から回転してしまう不具合を説明するための図１６と同様の断面図である。
【図１８】前記本体カバーに蓋体カバーを合体させてロックすることにより、電線カバーがコネクタハウジングに本装着された状態を示す図１６と同様の断面図である。
【図１９】電線カバーに電線をテープ巻きしてワイヤーハーネスを構成した状態を示す平面図である。
【発明を実施するための形態】
【００２４】
以下、本発明の実施形態を図面を参照して説明する。
図１は実施形態の電線カバー付きコネクタの分解斜視図、図２は同電線カバー付きコネクタに使用する電線カバーの前側から見た斜視図、図３は図２のＩＩＩ−ＩＩＩ矢視断面図、図４は同電線カバー付きコネクタの組み立て途中の状態を示す図で、コネクタハウジングの後部に電線カバーを装着しようとしている状態を示す平面図、図５は同コネクタハウジングのカバー装着部に電線カバーの一方の分割体である本体カバーを仮装着した状態を示す前側から見た斜視図、図６は図５と同じ状態を側方から見て示す側面図、図７は図５と同じ状態を上方から見て示す平面図、図８（ａ）は図７のＶＩＩＩａ−ＶＩＩＩａ矢視断面図、（ｂ）は（ａ）のＶＩＩＩｂ部の拡大図、図９は図７のＩＸ−ＩＸ矢視断面図、図１０（ａ）は前記本体カバーに蓋体カバーを合体させてロックすることにより、電線カバーがコネクタハウジングに本装着された状態を示す図９と同様の断面図、（ｂ）は（ａ）のＸｂ部の拡大図、図１１は電線カバーに電線をテープ巻きしてワイヤーハーネスを構成した状態を示す平面図、図１２は電線カバーに電線をテープ巻きしてワイヤーハーネスを構成した状態を示す斜視図である。
【００２５】
この電線カバー付きコネクタは、図１に示すように、樹脂成形品よりなるコネクタハウジング１０と、円筒状のパッキン材２１付きの電線Ｗの端末に接続された複数の端子２０と、コネクタハウジング１０の後部に装着される樹脂成形品よりなる電線カバー３０とから構成されている。
【００２６】
コネクタハウジング１０の後部には電線引出部１１が設けられ、電線引出部１１の後面に複数の端子収容室１２の入口が開口している。そして、各入口から端子収容室１２の内部に、電線Ｗの端末に取り付けた端子２０を挿入できるようになっている。また、そのように端子２０を挿入した際に、予め電線Ｗの外周に装着してある円筒状のパッキン材２１が、端子収容室１２の内周壁と電線Ｗとの隙間を封止するようになっている。端子２０をコネクタハウジング１０の各端子収容室１２に挿入すると、端子２０に接続された電線Ｗは、電線引出部１１から後方へ向けて引き出される。そして、これらの電線Ｗを保護しつつ所定の方向へ案内して導き出す目的で、コネクタハウジング１０の後部に電線カバー３０が装着される。
【００２７】
この電線カバー３０を装着するために、コネクタハウジング１０の後部には、電線引出部１１を包囲するように、横方向（左右方向）に長軸を向け縦方向（上下方向）に短軸を向けた断面楕円形（断面円形でもよい）の筒状のカバー装着部１３が設けられている。このカバー装着部１３の端部には、カバー装着部１３よりも径大の環状凸部１４が設けられている。また、コネクタハウジング１０の上面には、相手コネクタのハウジングと嵌合した際にロックするロックアーム１７と、ロックアーム保護枠１６とが設けられている。
【００２８】
一方、電線カバー３０は、図２〜図１０に示すように、先にコネクタハウジング１０の後部に装着される本体カバー３１と、後から本体カバー３１と合体されることで電線カバー３０をコネクタハウジング１０に本装着する蓋体カバー３３と、に二分割されている。本体カバー３１と蓋体カバー３３は、一端同士がヒンジ３２により回動自在（つまり開閉自在）に連結されている。
【００２９】
本体カバー３１と蓋体カバー３３には、本体カバー３１と蓋体カバー３３を合体した時に筒状をなしてコネクタハウジング１０のカバー装着部１３を挟み込み、それにより電線カバー３０をコネクタハウジング１０に装着する取付部３１Ａ、３３Ａがそれぞれ設けられており、取付部３１Ａ、３３Ａの一端側にそれぞれ連設した合わせ壁３８、３５がヒンジ３２により連結されている。
【００３０】
これらの合わせ壁３８、３５は、本体カバー３１と蓋体カバー３３を合体させた際に、図１０に示すように互いに面合わせとなる壁であり、これら合わせ壁３８、３５に設けた係合フック３７と係合孔３６が、本体カバー３１と蓋体カバー３３の合体時に互いに係合することにより、ヒンジ３２による取付部３１Ａ、３３Ａの一端側の連結を補強するようになっている。
【００３１】
この場合、本体カバー３１側の取付部３１Ａと蓋体カバー３３側の取付部３３Ａは、断面楕円形のカバー装着部１３を包囲する筒体を半周ずつに等分割したものではなく、本体カバー３１側の取付部３１Ａの方が、蓋体カバー３３側の取付部３３Ａよりも、大きくなる割合で分割されている。
【００３２】
即ち、本体カバー３１側の取付部３１Ａは、断面Ｃ字状をなし、その両端が、該取付部３１Ａのカバー装着部１３に対する装着方向（左右方向）に直交する方向（上下方向）におけるカバー装着部１３の最大径部（つまり、断面楕円形のカバー装着部１３の短軸方向の最大寸法部）を越える位置まで延長されており、蓋体カバー３３側の取付部３３Ａは、本体カバー３１側の取付部３１Ａが長く延長されている分だけ短くなっている。
【００３３】
そして、本体カバー３１側の取付部３１Ａの上下の延長端には、図８に示すように、カバー装着部１３の外周に弾性的に仮係止することで、カバー装着部１３からの取付部３１Ａの脱落を阻止する仮係止部４８、４９が設けられている。ここで、上側の仮係止部４８は、可撓性の係止アームとなっている。
【００３４】
また、断面Ｃ字状の本体カバー３１には、図９に示すように、カバー装着部１３に仮係止部４８、４９が仮係止している状態で、本体カバー３１にカバー装着部１３の周方向に沿った矢印Ｙ２や矢印Ｙ３のような回転力が作用した際に、コネクタハウジング１０の上面のロックアーム保護枠１６や下面のリブ１８に衝突することで、本体カバー３１の回転を阻止する回転規制部４６、４７が設けられている。これらの回転規制部４６、４７は、図２に示すように、取付部３１Ａの側方に設けた壁４５に形成されている。
【００３５】
また、本体カバー３１と蓋体カバー３３の取付部３１Ａ、３３Ａの他方の側方には、コネクタハウジング１０のカバー装着部１３の端部に設けられた環状凸部１４の嵌まる径大部３１Ｂ、３３Ｂが設けられている。
【００３６】
また、本体カバー３１には、コネクタハウジング１０の後部から引き出された電線Ｗを直角方向に曲げて誘導すると共に電線Ｗと共にテープＴ（図１１および図１２参照）を巻き付けることのできる電線誘導部３４が設けられ、更に本体カバー３１の外面には、図１に示すように、本体カバー３１の剛性を補強するための補強リブ５０が、電線誘導部３４の基部から径大部３１Ｂや取付部３１Ａを経て、回転規制部４６、４７を設けた壁４５に至るまでの範囲にわたり設けられている。
【００３７】
また、本体カバー３１のヒンジ３２と反対側の端部にはロック突起４１が設けられ、蓋体カバー３３のヒンジ３２と反対側の端部には、ロック突起４１の嵌まるロック孔４４を有したロックアーム４３が設けられている。本体カバー３１に蓋体カバー３３を合わせると、図１０に示すように、ロック突起４１にロックアーム４３が係合して、本体カバー３１と蓋体カバー３３とが合体状態に保持され、本体カバー３１の取付部３１Ａと蓋体カバー３３の取付部３３Ａとの間にコネクタハウジング１０のカバー装着部１３が挟まれ、それにより、電線カバー３０がコネクタハウジング１０に本装着される。
【００３８】
この電線カバー付きコネクタを組み立てる場合は、まず、コネクタハウジング１０の各端子収容室１２に後端入口から、電線Ｗの端末に接続した端子２０を挿入する。挿入すると、予め電線Ｗの端末の外周に装着されたパッキン材２１が端子収容室１２に圧入され、電線Ｗとコネクタハウジング１０の隙間が封止される。全部の端子２０を挿入してコネクタを組み立てたら、コネクタハウジング１０の後部から後方へ引き出された電線Ｗを電線カバー１３０によって誘導しようとする方向へ曲げて癖付けしながら、図４〜図８に示すように、本体カバー３１の取付部３１Ａをコネクタハウジング１０の後部のカバー装着部１３に仮装着する。
【００３９】
次にその状態で、図９の矢印Ｙ１で示すように蓋体カバー３３を回動させて、図１０に示すように蓋体カバー３３を本体カバー３１に合体させ、ロック突起４１とロックアーム４３をロックさせる。そして、最後に図１１および図１２に示すように、本体カバー３１に一体に設けた電線誘導部３４にテープＴを巻き付けることにより、電線Ｗを屈曲させた状態のままテープＴで固定する。こうすることにより、電線カバー付きコネクタの組み立てが完了し、電線Ｗを電線カバー３０により保護しながら所定の方向へ導くことができる。
【００４０】
この組立作業の際、本体カバー３１の取付部３１Ａをカバー装着部１３の最大径部を越える位置まで延長し、その延長端にカバー装着部１３に対する仮係止部４８、４９を設けているので、本体カバー３１をコネクタハウジング１０に仮装着した状態での本体カバー３１の脱落を阻止することができる。
【００４１】
また、本体カバー３１には、図９に示すように、コネクタハウジング１０のロックアーム保護枠１６やリブ１８に衝突することで本体カバー３１の回転を規制する回転規制部４６、４７を設けているので、蓋体カバー３３を本体カバー３１に合体させる際に本体カバー３１に矢印Ｙ１や矢印Ｙ２のような回転力が作用した場合にも、本体カバー３１を回転しないように保持しておくことができる。
【００４２】
従って、片方の手で本体カバー３１を回転しないように押さえながら、もう片方の手で蓋体カバー３３を本体カバー３１に合体させるというような両手作業をする必要がなく、片手作業で容易に蓋体カバー３３を本体カバー３１に合体させることができて、電線カバー３０をコネクタハウジング１０に本装着することができる。
【００４３】
特に、本実施形態では、ヒンジ３２を支点にして蓋体カバー３３を先に仮装着してある本体カバー３１に向けて回動させ、本体カバー３１と蓋体カバー３３を互いにロックさせることによって、本体カバー３１と蓋体カバー３３とを合体させることができ、それにより電線カバー３０をコネクタハウジング１０に容易に本装着することができ、組立作業性の向上を図ることができる。
【００４４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４５】
例えば、上記実施形態では、ヒンジ３２により本体カバー３１と蓋体カバー３３を連結しているが、ヒンジ３２を省略して本体カバー３１と蓋体カバー３３を別体に構成してもよい。
【００４６】
また、上記実施形態では、カバー装着部１３が断面楕円形になっている場合を示したが、断面円形になっていてもよい。
【符号の説明】
【００４７】
１０  コネクタハウジング
１１  電線引出部
１３  カバー装着部
３０  電線カバー
３１  本体カバー
３１Ａ  取付部
３２  ヒンジ
３３  蓋体カバー
３３Ａ  取付部
４１  ロック突起（ロック部）
４３  ロックアーム（ロック部）
４６，４７  回転規制部
４８，４９  仮係止部
Ｗ  電線
【図１】
0005778574.tif 000002
【図２】
0005778574.tif 000003
【図３】
0005778574.tif 000004
【図４】
0005778574.tif 000005
【図５】
0005778574.tif 000006
【図６】
0005778574.tif 000007
【図７】
0005778574.tif 000008
【図８】
0005778574.tif 000009
【図９】
0005778574.tif 000010
【図１０】
0005778574.tif 000011
【図１１】
0005778574.tif 000012
【図１２】
0005778574.tif 000013
【図１３】
0005778574.tif 000014
【図１４】
0005778574.tif 000015
【図１５】
0005778574.tif 000016
【図１６】
0005778574.tif 000017
【図１７】
0005778574.tif 000018
【図１８】
0005778574.tif 000019
【図１９】
0005778574.tif 000020